【事件の表示】
　特許第３１４４７６５号「椅子のレッグレスト装置」の請求項１、２に係る特許に対する特許異議の申立てについて、次のとおり決定する。
【結　論】
　訂正を認める。
　特許第３１４４７６５号の請求項１に係る特許を維持する。
【理　由】
１．手続の経緯
　本件特許第３１４４７６５号（請求項の数２）は、平成８年１０月２９日の出願に係り、平成１３年１月５日に特許の設定登録がなされ、その後、全請求項に係る特許について、西尾務より特許異議の申立てがなされ、取消理由通知がなされ、その指定期間内である平成１４年５月２７日に訂正請求（後日取下）がなされ、さらに取消理由通知がなされ、その指定期間内である平成１４年１０月９日に再度訂正請求がなされたものである。
　
２．訂正の適否についての判断
（１）訂正の内容
  特許権者は本件特許明細書の記載を訂正明細書のとおりに訂正することを求めており、その具体的な内容は以下のとおりのものと認める。
ア．訂正事項ａ
　特許請求の範囲の【請求項１】の、
「台座上に設置された前方座部と後方座部とからなる座部と、該座部の後方に起伏自在に支持された背凭れと、前記前方座部の前方に水平方向と垂直方向に移行自在に支持されたレッグレストと、前記座部の裏面側に設けられたシリンダと、該シリンダの伸縮により前記背凭れを伏倒すると共に前記前方座部が上方に傾斜し、かつ、前記レッグレストを水平方向に移行し、また、前記シリンダの伸長により前記背凭れを起立させると共に前記前方座部を水平にし、かつ、前記レッグレストを垂直状態より内側に垂下するリンク機構と、を具備したことを特徴とする椅子のレッグレスト装置。」を、
「台座上に設置された前方座部
１”
１’
１
後方
４
垂下
５
前記背凭れから延長された垂下アームにピストン１０ａが軸支されたシリンダ１０と、一端がピストンが軸支された部分に軸支され他端にピン９ａが形成された第１リンク９と、一端が前記レッグレストの裏面に軸支され他端が前記ピンが挿通される長孔１３ａが形成された第２リンク１３と、一端が台座２に軸支され他端が前記ピンに軸支されると共に中間部が連結板７を介して前記座部裏面に軸支された回動リンク８と、前記ピンをバネ力によって下方に押下する巻きバネ１６と、前記背凭れの起立途中において前記第１リンクのみが移動することによって押圧されると前記シリンダの動作を停止させるスイッチ１５とを具備し、前記シリンダの収縮による前記背凭れ伏倒位置において前記前方座部の前端とレッグレストを上昇させ、
ように
イ．訂正事項ｂ
　特許請求の範囲の【請求項２】を削除する。
ウ．訂正事項ｃ
　明細書の段落【０００９】において、
「台座上に設置された前方座部と後方座部とからなる座部と、該座部の後方に起伏自在に支持された背凭れと、前記前方座部の前方に水平方向と垂直方向に移行自在に支持されたレッグレストと、前記座部の裏面側に設けられたシリンダと、該シリンダの伸縮により前記背凭れを伏倒すると共に前記前方座部が上方に傾斜し、かつ、前記レッグレストを水平方向に移行し、また、前記シリンダの伸長により前記背凭れを起立させると共に前記前方座部を水平にし、かつ、前記レッグレストを垂直状態より内側に垂下するリンク機構とから構成したものである。」との記載を、
「台座上に設置された前方座部
１”
１’
１
後方
４
垂下
５
前記背凭れから延長された垂下アームにピストン１０ａが軸支されたシリンダ１０と、一端がピストンが軸支された部分に軸支され他端にピン９ａが形成された第１リンク９と、一端が前記レッグレストの裏面に軸支され他端が前記ピンが挿通される長孔１３ａが形成された第２リンク１３と、一端が台座２に軸支され他端が前記ピンに軸支されると共に中間部が連結板７を介して前記座部裏面に軸支された回動リンク８と、前記ピンをバネ力によって下方に押下する巻きバネ１６と、前記背凭れの起立途中において前記第１リンクのみが移動することによって押圧されると前記シリンダの動作を停止させるスイッチ１５とを具備し、前記シリンダの収縮による前記背凭れ伏倒位置において前記前方座部の前端とレッグレストを上昇させ、
ように
エ．訂正事項ｄ
　明細書の段落【００１０】における記載内容を削除する。
オ．訂正事項ｅ
　明細書の段落【００１７】において、
「固定板１４がとりつけ」との記載を、「固定板１４が
取付け
カ．訂正事項ｆ
　明細書の段落【００２６】において、
「第２リンク１２の長孔１２ａ内の」との記載を「第２リンク
１３
１３ａ
１３ａ
（２）訂正の目的の適否、新規事項の有無及び拡張・変更の存否
　上記訂正事項ａは、明細書の段落【０００９】、【００１３】〜【００１６】、【００２３】、【００２６】〜【００２９】及び図面に記載された事項に基いて、背凭れ及びレッグレストを座部に支持する部位並びにレッグレストの移行方向を特定し、シリンダの機構を特定し、リンク機構を特定し、さらにリンク機構中にスイッチ機構を設けるという構成を付加するものであるから、特許請求の範囲の減縮を目的とする明細書の訂正に該当すると共に、図面の符号を表記することにより各機構の構成をより明確にするためのものであるから、明りょうでない記載の釈明を目的とした明細書の訂正に該当する。
　上記訂正事項ｂは、請求項の削除であり、特許請求の範囲の減縮を目的とした明細書の訂正に該当する。
　上記訂正事項ｃ及びｄは、上記訂正事項ａ及びｂにより訂正された特許請求の範囲の記載と、発明の詳細な説明の記載とを整合させるためものであるから、明りょうでない記載の釈明を目的とした明細書の訂正に該当する。
　上記訂正事項ｅは、ひらがなによる表現を漢字表現に統一するためのものであるから、明りょうでない記載の釈明を目的とした明細書の訂正に該当する。
　上記訂正事項ｆは、図面に示された部材の符号に整合させるためのものであるから、誤記の訂正を目的とした明細書の訂正に該当する。
　そして、上記いずれの訂正事項も、新規事項の追加に該当せず、「患者が椅子に着座するとき、あるいは椅子から立ち上がる時に、通常の椅子と同様に患者の脚を椅子の下側に入れることで、スムースな体重移動ができて患者や医師あるいはアシスタントに負担をかけることのない椅子のレッグレスト装置を提供」するという課題に変更を及ぼすものでもないから、実質上特許請求の範囲を拡張し、又は変更するものでもない。
（３）むすび
　以上のとおりであるから、上記訂正は、特許法第１２０条の４第２項及び同条第３項において準用する同法第１２６条第２項及び第３項の規定に適合するので、当該訂正を認める。
　
３．特許異議の申立てについての判断
（１）異議の申立ての理由の概要
　異議申立人は、下記の甲第１乃至４号証を提出し、本件の請求項１及び２に係る発明は、甲第１乃至４号証に記載された発明に基いて当業者が容易に発明をすることができたものであり、特許法第２９条第２項の規定により特許を受けることができないものであるから、本件の請求項１及び２に係る発明についての特許を取り消すべき旨主張している。
　甲第１号証：実公昭６０−１０５７０号公報
　甲第２号証：特開昭６２−４４２５２号公報
　甲第３号証：特開平７−３０８３５０号公報
　甲第４号証：特公平２−２０２５７号公報
　
（２）本件発明
　上記「２．」の項で示したように上記訂正が認められるから、本件の請求項１に係る発明（以下、「本件発明」という。）は、上記訂正請求に係る訂正明細書の特許請求の範囲の請求項１に記載された事項により特定されるとおりのものである。（上記「２．（１）ア．」の項参照。）
　
（３）提出された証拠の開示事項
（３−１）甲第１号証（実公昭６０−１０５７０号公報）には、「デンタル椅子における作動装置」に関して、以下の事項が図面と共に記載されている。
・「ベース盤上に設けた上下動装置上に臀部アンダーシート基板を設けると共に、該臀部アンダーシート基板の前部に、回動可能な下腿アンダーシート基板を有する上腿アンダーシート基板を回動可能に設け、更に基部が軸支されて上下に回転自在な油圧シリンダを設け、バックレスト基板を有する可動円弧状板の基部を前記油圧シリンダのプランジャーに後部長軸を介して回動可能に設け、…（中略）…成ることを特徴とするデンタル椅子における作動装置。」［実用新案登録請求の範囲（１）］
・「従来のデンタル椅子におけるアンダーシートは臀部から脚部までが全面的に載る単一形態に構成され…（中略）…このような従来式のアンダーシートにおいては、…（中略）…バックレストが傾倒された場合に膝関節付近から臀部までが同一平面になった状態で上半身が傾倒することとなり、特にバックレストが大きく傾倒（例えば６０〜９０°等）された状態において１０〜２０分等の長時間に亘って治療が行われる際は、特に腹筋部に苦痛感が伴うものであった。　本考案は叙上の点に着目して成されたもので、その目的はバックレストが…（中略）…大きく、例えば６０〜９０°等傾倒された場合においても、患者が無理な姿勢となることがなく、従って連続長時間の治療に際しても患者の疲労感をなくし得るデンタル椅子における作動装置を提供するにあり、」［第２欄第１０行〜第３欄第７行］
・「３は左右側板２上に固着された臀部アンダーシート部３ａを有する臀部アンダーシート基板、４は上腿アンダーシート部４ａを有する上腿アンダーシート基板、５は下腿アンダーシート部５ａを有する下腿アンダーシート基板を示し、上腿アンダーシート基板４は臀部アンダーシート基板３に蝶番６を介して上下方向へ回動可能に設けられ、下腿アンダーシート基板５は上腿アンダーシート基板４に蝶番７を介して上下方向へ回動可能に設けられている。」［第３欄第２９〜３８行］
・「次にその作用を説明すれば、第２図の状態において患者はアンダーシート部３ａに座しながら上腿部を上腿アンダーシート部４ａに、下腿を下腿アンダーシート部５ａに載せ、又背部をバックレスト２３ａに当接し、必要に応じ油圧シリンダー８のプランジャー８ａを適当に後退させる。…（中略）…従ってバックレスト２３ａを有するバックレスト基板２３はプランジャー８ａの後退の度合に応じて後方へ傾倒する。（例えば第３図の如く傾倒する。）又前記の作動と同時に前後動板１３は後部長軸２４を介して前方へ移動することとなり…（中略）…上腿アンダーシート基板４は作動板１７を介し且つ蝶番６を支点として上傾し、又下腿アンダーシート基板５も第２連動板１２を介し且つ蝶番７を支点として上傾する。次にこの状態より油圧シリンダー８のプランジャー８ａを進出させることにより、諸機構部が前記と反対に作動して第２図の如き当初の位置に復帰するものである。」［第４欄第３１行〜第５欄第１３行］
（３−２）甲第２号証（特開昭６２−４４２５２号公報）には、「歯科治療用椅子」に関して、以下の事項が図面と共に記載されている。
・「昇降可能な脚体に固定の支持杆と、後端が枢着されて上下方向に傾動する座板と下端が枢着されて起伏可動する背凭部と、前記座板の前端部に後端が枢着されて起伏可動する下肢受部とを夫々装備すると共に前記背凭部と座板との間に伸縮作動体により作動して座板の傾動と背凭部の起伏可動とを連動する連動機構を備え、かつ前記座板と支持杆との間に３つの枢着点を有しその第１枢着点が前記座板の前端部に枢着されて垂直回動する三角形状のリンク板と、後端が前記第１枢着点より後方に位置する第２枢着点に前端が前記支持杆の前端部に夫々枢着されたリンク杆とを設けると共に前記リンク板の第３枢着点を前記下肢受部の下面に前後動可能に連結したことを特徴とする歯科治療椅子。」［特許請求の範囲（１）］
・「（１）は例えばモータ駆動により作動する昇降機構（２）を備えた脚体で、その上端に水平状に設置された座台（３）の両側部に上面が前方に低く傾斜した左右一対の側枠（４）が立設されてあり、この側枠（４）後端上部間に背凭部（５）が枢軸（６）を介して起伏自在に枢着されまた前記側枠（４）の後端下部間に前方に延びる座板（７）の後端部が枢軸（８）を介して起伏自在に枢着されており、さらに座板（７）の前端部には、下肢受部（９）の後端部が枢軸（１０）を介して起伏自在に枢着されている。」［第３頁左上欄第４〜１３行］
・「しかして医師が対面治療を行う場合には、第１図で示すように伴凭部（５）及び下肢受部（９）を共に起立した状態で、下肢受部（９）を跨ぐようにして椅子に腰掛けた患者と対峙して行い、また患者を仰臥位にして行う座位治療の場合には回転駆動部（２４）を駆動して雌ねじ部材（２５）を支持杆（２１）の垂片（２２）に近づける方向にねじ杆（２６）を回転する。するとリンク腕（１５）が図において反時計方向に回転し、背凭用リンク杆（１３）は背凭部（５）を下向きに牽引し、これにより背凭部（５）は枢軸（６）を支点として伏倒すると共に押圧腕（１８）も反時計方向に回動してその先端に設けた回転ローラ（１７）がカム片（１９）の傾斜面（１９ａ）を転動しながらカム片（１９）を上方に押し上げこれによって座板（７）が枢軸（８）を支点として上向きに傾動する。するとリンク杆（３３）の一端が固定の軸受片（２９）に枢着されていることによりリンク板（３２）は座板（７）の先端部の上昇に伴い枢着片（３１）の枢軸を支点として反時計方向に回動するので、下肢受部（９）はリンク板（３２）の先端と枢着された移動駒（４１）が前後方向に移動しながらカム片（１９）により上方に水平状に押し上げられる。」［第３頁右下欄第１９行〜第４頁左上欄第１８行］
・「なお上記実施例においては、伸縮作動体（２３）をねじ杆（２６）の回転により作動する構成の場合を示したが流体作動シリンダ或いはボールネジ機構などが適用されることは勿論である」［第４頁右上欄第７〜１０行］
・また、第１図及び第３図には、背凭部（５）が起立し、座板（７）が水平になり、下肢受部（９）が垂下した態様及び、背凭部（５）が伏倒し、座板（７）の前方部が上向きに傾斜し、下肢受部（９）が上方に水平状に押し上げられた態様が、リンク機構及び座板の裏面側に設けられた伸縮作動体（２３）と共に示されている。
（３−３）甲第３号証（特開平７−３０８３５０号公報）には、「医療用診療椅子」に関して、以下の事項が図面と共に記載されている。
・「支持体２６には…（中略）…鉛直な回転軸線まわりに回転自在に支持されるシートフレーム３２が設けられ、シートフレーム３２の一端にはバックフレーム３３が矢符Ｂ１，Ｂ２方向に傾動自在に連結される。…（中略）…シートフレーム３２の他端には、フットフレーム３４が矢符Ｄ１，Ｄ２方向に傾動自在に連結される。シートフレーム３２には前記座板１０が取付けられ、バックフレーム３３には前記背板９が取付けられ、フットフレーム３４には前記フットレスト１４が取付けられる。」［段落【００２０】］
・「たとえば…（中略）…フットフレーム３４の傾動可能な範囲の角度θ１は約１１０度になる。この場合、フットフレーム３４の鉛直面から退避角度θ２は、２０゜に選ばれる。この退避角度θ２は、患者２の足を後退させ、術者が患者２の正面から近づくのを容易にする。」［段落【００３５】］
・また、【図２】には、バックフレーム３３の起立時にフットフレーム３４が垂直状態よりも支持体２６側に垂下している態様が示されている。
（３−４）甲第４号証（特公平２−２０２５７号公報）には、「歯科治療椅子」に関して、以下の事項が図面と共に記載されている。
・「昇降可能な座台の前端部に下肢受部を備え、これを作動部により起立状態と伏倒状態との間で作動し得るように構成すると共に、前記下肢受部の下面に前記下肢受部の起立動作と関連して前後方向に移動する足置部を備えて成る歯科治療椅子において、前記足置部の前端部に床面などに接触したときバネに抗して傾動する押圧レバーと、この押圧レバーの傾動により作動して前記作動部の作動を停止するスイッチとからなる停止機構を装備したことを特徴とする歯科治療椅子。」［特許請求の範囲］
・「第１図一点鎖線で示す座位治療における椅子の伏倒状態から…（中略）…同図実線で示す対向治療における椅子の起立状態に移行するとき、…（中略）…スライド用モータ１８の故障等により足置部１７が収納されず下肢受部８より伸長した状態である場合には、足置部１７の先端部のレバー２８が床面に当接してバネ２６に抗して内方に傾動し、これによってマイクロスイッチ３０が作動して前記起伏作動モータの駆動回路を含む椅子の制御回路が断たれ座台４の下降及び下肢受部８の起立方向の動作が停止する。」［第２頁第３欄第３２行〜第４欄第１０行］
・「上記実施例において、背凭部６及び下肢受部８を起伏する作動部ａは起伏作動用モータの回転により作動駒１４を前後動する構成であったが作動駒１４を油圧シリンダを用いて前後動させる構成であってもよい事は勿論である。」［第２頁第４欄第１８〜２２行］
　
（４）対比・判断
　本件発明と上記甲第１号証に記載されたものとを対比すると、後者の「臀部アンダーシート部３ａ」、「上腿アンダーシート部４ａ」、「バックレスト２３ａ」、「下腿アンダーシート部５ａ」及び「プランジャー８ａ」は、それぞれ、前者の「前方座部１”」、「後方座部１’」、「背凭れ４」、「レッグレスト５」及び「ピストン１０ａ」に相当し、後者のデンタル椅子においても、シリンダの作動によりプランジャーに連結されたバックレスト基板を起伏するとともにリンク機構を介して上腿アンダーシート基板及び下腿アンダーシート基板を上下方向へ回動するものであるので、甲第１号証には、「前方座部と後方座部とからなる座部と、前記後方座部の後方に起伏自在に支持された背凭れと、前記前方座部の前部に回動自在に支持されたレッグレストと、前記座部の裏面側に設けられ前記背凭れと連結するピストンを有するシリンダと、該ピストンに連結されるリンク機構とを具備し、前記背凭れの伏倒位置において前記前方座部の前端とレッグレストが上昇され、また、前記背凭れの起立位置において前記前方座部の前端とレッグレストが下方に移動するようにした椅子」が記載されているといえる。
　しかしながら、甲第１号証には、シリンダの作動によりレッグレストを移動するリンク機構中に「一端がピストンが軸支された部分に軸支され他端にピン９ａが形成された第１リンク９と、一端が前記レッグレストの裏面に軸支され他端が前記ピンが挿通される長孔１３ａが形成された第２リンク１３と、一端が台座２に軸支され他端が前記ピンに軸支されると共に中間部が連結板７を介して前記座部裏面に軸支された回動リンク８と、前記ピンをバネ力によって下方に押下する巻きバネ１６と、前記背凭れの起立途中において前記第１リンクのみが移動することによって押圧されると前記シリンダの動作を停止させるスイッチ１５とを具備」するという本件発明を特定する構成（以下、「本件特定構成」という。）については何ら記載も示唆もされていない。
　そこでさらに検討すると、甲第２号証には、傾動可能な座板の前端に起伏可能に枢着された「下肢受部」（本件発明の「レッグレスト」に相当）が、伸縮作動体により作動して座板の傾動と背凭部の起伏とを連動する連動機構にさらに連動して回動して水平方向と垂下方向に移行自在とされている椅子が記載され、甲第３号証には、バックフレーム（本件発明の「背凭れ４」に相当）の」起伏に連動して水平方向と垂下方向に移動自在とされたフットフレーム（本件発明の「レッグレスト５」に相当）が、バックフレームの起立時に垂直状態より内側に垂下するようにされた椅子が記載されているが、これらのいずれにも、レッグレストの起立途中にシリンダの作動を停止するスイッチについては何ら記載も示唆もされていない。
　また、甲第４号証には、座台の前端部に備えられ、作動部により起立状態と伏倒状態との間で作動し得るように構成された下肢受部（本件発明の「レッグレスト５」に相当）前端部に前記作動部の作動を停止するスイッチを装備した椅子が記載されており、上記作動部が油圧シリンダを用いる場合には、上記スイッチは、下肢受部の起立途中において、シリンダの作動を停止させるものと解される点で、本件発明のスイッチ１５と機能が共通しているが、該スイッチは下肢受部の先端部が床等に当接した場合に押されて作動するものであり、設置位置及び作動機構については本件発明とは異なるものである。即ち、上記の本件発明を特定する構成のように、ピンと長孔とにより連結される二つのリンクを用いて、その一方のみの移動によりスイッチが作動するようになっている機構については、甲第４号証には記載も示唆もされていない。
　そして、本件発明は上記本件特定構成を備えることにより、「レッグレストが垂下方向に移行する時に、該レッグレストの裏面と台座と間に異物が挟まれた場合には、レッグレストの移行を自動的に停止するので、異物が破損したりすることがない」という明細書記載の効果を奏するものであり、本件発明が、上記甲第１乃至４号証に記載された発明に基づいて当業者が容易に発明をすることができたものであるとすることはできない。
　
（５）異議申立人の主張について
　異議申立人は、上記本件特定構成に関して、作動中に外力が加わったときにシリンダの動作を停止することは機械分野における安全装置として一般的に用いられているものであり、そのことは甲第４号証に示されている旨主張している。
　確かに甲第４号証には、レッグレストの移行中に移行方向とは逆の外力が加わった場合にシリンダの動作を停止させる安全装置となるスイッチが開示されてはいるものの、スイッチの設置位置、作動機構に関しては、それを本件特定構成のように椅子のレッグレスト装置に適合すべく具体的に特定したものではなく、また、本件特定構成が機械分野における安全装置として周知慣用の構成であるとも認められない。
　
（６）むすび
　以上のとおりであるから、特許異議申立の理由及び証拠によっては、本件発明についての特許を取り消すことはできない。
　また、他に本件発明についての特許を取り消すべき理由を発見しない。
　よって、結論のとおり決定する。
【異議決定日】
平成１４年１１月１日（２００２．１１．１）
【訂正の要旨】
訂正の要旨
（１）訂正事項ａ
　特許請求の範囲の【請求項１】の、
「台座上に設置された前方座部と後方座部とからなる座部と、該座部の後方に起伏自在に支持された背凭れと、前記前方座部の前方に水平方向と垂直方向に移行自在に支持されたレッグレストと、前記座部の裏面側に設けられたシリンダと、該シリンダの伸縮により前記背凭れを伏倒すると共に前記前方座部が上方に傾斜し、かつ、前記レッグレストを水平方向に移行し、また、前記シリンダの伸長により前記背凭れを起立させると共に前記前方座部を水平にし、かつ、前記レッグレストを垂直状態より内側に垂下するリンク機構と、を具備したことを特徴とする椅子のレッグレスト装置。」を、
「台座上に設置された前方座部
１”
１’
１
後方
４
垂下
５
前記背凭れから延長された垂下アームにピストン１０ａが軸支されたシリンダ１０と、一端がピストンが軸支された部分に軸支され他端にピン９ａが形成された第１リンク９と、一端が前記レッグレストの裏面に軸支され他端が前記ピンが挿通される長孔１３ａが形成された第２リンク１３と、一端が台座２に軸支され他端が前記ピンに軸支されると共に中間部が連結板７を介して前記座部裏面に軸支された回動リンク８と、前記ピンをバネ力によって下方に押下する巻きバネ１６と、前記背凭れの起立途中において前記第１リンクのみが移動することによって押圧されると前記シリンダの動作を停止させるスイッチ１５とを具備し、前記シリンダの収縮による前記背凭れ伏倒位置において前記前方座部の前端とレッグレストを上昇させ、
ように
（２）訂正事項ｂ
　特許請求の範囲の【請求項２】を削除する。
（３）訂正事項ｃ
　明細書の段落【０００９】において、
「台座上に設置された前方座部と後方座部とからなる座部と、該座部の後方に起伏自在に支持された背凭れと、前記前方座部の前方に水平方向と垂直方向に移行自在に支持されたレッグレストと、前記座部の裏面側に設けられたシリンダと、該シリンダの伸縮により前記背凭れを伏倒すると共に前記前方座部が上方に傾斜し、かつ、前記レッグレストを水平方向に移行し、また、前記シリンダの伸長により前記背凭れを起立させると共に前記前方座部を水平にし、かつ、前記レッグレストを垂直状態より内側に垂下するリンク機構とから構成したものである。」との記載を、
「台座上に設置された前方座部
１”
１’
１
後方
４
垂下
５
前記背凭れから延長された垂下アームにピストン１０ａが軸支されたシリンダ１０と、一端がピストンが軸支された部分に軸支され他端にピン９ａが形成された第１リンク９と、一端が前記レッグレストの裏面に軸支され他端が前記ピンが挿通される長孔１３ａが形成された第２リンク１３と、一端が台座２に軸支され他端が前記ピンに軸支されると共に中間部が連結板７を介して前記座部裏面に軸支された回動リンク８と、前記ピンをバネ力によって下方に押下する巻きバネ１６と、前記背凭れの起立途中において前記第１リンクのみが移動することによって押圧されると前記シリンダの動作を停止させるスイッチ１５とを具備し、前記シリンダの収縮による前記背凭れ伏倒位置において前記前方座部の前端とレッグレストを上昇させ、
ように
　（４）訂正事項ｄ
　明細書の段落【００１０】における記載内容を削除する。
　（５）訂正事項ｅ
　明細書の段落【００１７】において、
「固定板１４がとりつけ」との記載を、「固定板１４が
取付け
（６）訂正事項ｆ
　明細書の段落【００２６】において、
「第２リンク１２の長孔１２ａ内の」との記載を「第２リンク
１３
１３ａ
１３ａ
（５４）【発明の名称】
椅子のレッグレスト装置
（５７）【特許請求の範囲】
　【請求項１】　台座上に設置された前方座部
１″
１′
１
後方
４
垂下
５
前記背凭れから延長された垂下アームにピストン１０ａが軸支されたシリンダ１０と、一端がピストンが軸支された部分に軸支され他端にピン９ａが形成された第１リンク９と、一端が前記レッグレストの裏面に軸支され他端が前記ピンが挿通される長孔１３ａが形成された第２リンク１３と、一端が台座２に軸支され他端が前記ピンに軸支されると共に中間部が連結板７を介して前記座部裏面に軸支された回動リンク８と、前記ピンをバネ力によって下方に押下する巻きバネ１６と、前記背凭れの起立途中において前記第１リンクのみが移動することによって押圧されると前記シリンダの動作を停止させるスイッチ１５とを具備し、前記シリンダの収縮による前記背凭れ伏倒位置において前記前方座部の前端とレッグレストを上昇させ、
ように
【発明の詳細な説明】
　【０００１】
　【発明の属する技術分野】
　本発明は歯科医院で使用される患者が着座し、治療時には背凭れおよびレッグレストが水平状態に変化する椅子のレッグレスト装置に関する。
　【０００２】
　【従来の技術】
　従来における患者用椅子にはカウンタータイプ（椅子の背凭れとレッグレストとが座部に対して水平状態に固定されている）と、図４に示す前折れタイプとの２種類があり、近年は治療前のコンサルティングが行われることから、前垂れタイプが主流となりつつある。
　【０００３】
　以下、図５の従来例について説明する。
　１は座部にして、台座２内に収容された油圧シリンダによって昇降機構が動作して座部を上下動するようになっている。また、座部１の下面にも油圧シリンダが収容されており、該油圧シリンダによってリンク機構３を介して図示のような着座位置に背凭れ４とレッグレスト５を座部１に対して直角状態にしたり、背凭れ４とレッグレスト５を座部１に対して水平状態にして、患者を横臥状態にして治療が行えるように構成されている。
　【０００４】
　【発明が解決しようとする課題】
　ところで、前記した従来の椅子におけるレッグレスト５は、患者の仰臥状態時において患者のふくら脛全体をサポートするように長く形成され疲労を軽減するように構成されており、そのために、着座状態においてもレッグレスト５はふくら脛の全面を覆い、かつ、レッグレスト５の下端は床面に対して近接した状態となっている。
　【０００５】
　しかも、図示のように、レッグレスト５は座部１に対して直角の状態となっているため、患者が立ち上がろうとした場合に、普通の椅子のように脚を椅子の下部に入れることができず、すなわち、脛と股は直角状態およびそれより鈍角な状態で立ち上がることとなる。
　【０００６】
　ところで、着座している人間が立ち上がるには、上半身を前かがみにした状態から腰を座部１から離して立ち上がるの一番楽な姿勢であるが、前記したような脛と股とが直角状態あるいはそれより鈍角な状態の時には、十分な前かがみの姿勢が採れず、そのため、このような状態の時には、手を肘掛け６について上半身を持ち上げ、次いで、体重を脚腰に移行させ立ち上がるものである。
　【０００７】
　しかし、この様な動作は、女性や高齢者には体力的な負担が大きく、医師やアシスタントが手を貸して立ち上がらさなければならず、医師やアシスタントに無駄な労力をかけるといった問題があった。
　【０００８】
　本発明は前記した問題点を解決せんとするもので、その目的とするところは、患者が椅子に着座するとき、あるいは椅子から立ち上がる時に、通常の椅子と同様に患者の脚を椅子の下側に入れることで、スムースな体重移動ができて患者や医師あるいはアシスタントに負担をかけることのない椅子のレッグレスト装置を提供せんとするにある。
　【０００９】
　【課題を解決するための手段】
　本発明の椅子のレッグレスト装置は前記した目的を達成せんとするもので、その手段は、台座上に設置された前方座部
１″
１′
１
後方
４
垂下
５
前記背凭れから延長された垂下アームにピストン１０ａが軸支されたシリンダ１０と、一端がピストンが軸支された部分に軸支され他端にピン９ａが形成された第１リンク９と、一端が前記レッグレストの裏面に軸支され他端が前記ピンが挿通される長孔１３ａが形成された第２リンク１３と、一端が台座２に軸支され他端が前記ピンに軸支されると共に中間部が連結板７を介して前記座部裏面に軸支された回動リンク８と、前記ピンをバネ力によって下方に押下する巻きバネ１６と、前記背凭れの起立途中において前記第１リンクのみが移動することによって押圧されると前記シリンダの動作を停止させるスイッチ１５とを具備し、前記シリンダの収縮による前記背凭れ伏倒位置において前記前方座部の前端とレッグレストを上昇させ、
ように
　【００１０】
　【００１１】
　【００１２】
　【発明の実施の形態】
　以下、本発明に係る椅子のレッグレスト装置の実施の形態を図１〜図４と共に説明する。なお、前記した図５の従来例における符号と同一符号は同一部分を示し説明は省略する。
　座部１は２つに分割され、後方座部１′の座板１ａが台座２側に固定され、前方座部１″の座板１ｂは兆番１ｃによって後方座部１ａに対して回動自在に連結されている。そして、図１の着座状態においては、後方座部基板１ｂは台座２上に載置された状態となっている。
　【００１３】
　前記後方座部基板１ａの後方には肘掛け６が固定され、また、背凭れ４の延長アーム４ａが肘掛け６と後方座部基板１ａの固定部分でピン４ｂで軸支され、さらに、レッグレスト５の基板５ａは兆番５ｂによって前記前方座部基板１ｂに対して回動自在に連結されている。
　【００１４】
　前記前方座部基板１ｂの裏面に固定された取付金具１ｄには、連結板７の一端が軸支され、該連結板７の他端は略Ｌ状に形成された回動リンク８の折曲部に軸支されている。また、回動リンク８の短片側の先端は台座２にピン８ａで軸支され、長片側の先端は第１リンク９の一端にピン９ａによって軸支されている。
　【００１５】
　この第１リンク９の他端は延長アーム４ａから下方に垂下されている垂下アーム４ｃの下端にピン９ｂによって軸支されている。１０は一端が台座２に回動自在に取付けられたガスシリンダ等のシリンダにして、ピストン１０ａの先端が前記ピン９ｂに軸支され、また、このピン９ｂには引っ張りスプリング１１の一端が係止されている。なお、スプリング１１の他端は台座２側に係止されている。
　【００１６】
　前記レッグレスト基板５ａの裏面には取付金具５ｃが固定されており、この取付金具５ｃには連結板１２の一端が軸支され、この連結板１２の他端には第２リンク１３の一端が軸支されている。前記第２リンク１３の途中には図３に詳述するように長孔１３ａが形成されており、この長孔１３ａ内に前記ピン９ｂが挿通されている。
　【００１７】
　また、第２リンク１３の長孔１３ａより延長された部分にはマイクロスイッチ１５を取付けるための固定板１４が
取付け
　【００１８】
　なお、固定板１４に形成された円弧状長孔１４ｂはマイクロスイッチ１５の取付け角度を調整するものであり、時計方向にマイクロスイッチ１５を寝かせることによりマイクロスイッチ１５の感度が高くなり、また、起立方向に移動することにより感度は鈍くなるものである。
　【００１９】
　次に、前記した構成に基づいて動作を説明する。
　図１に示す患者が着座してコンサルティングを行う状態、あるいは、治療が終了して椅子から離れる状態、すなわち、座部１が水平状態で、かつ、背凭れ３が座部１に対して略直角状態で、また、レッグレスト５が座部１に対して直角から略１０度内側に入り込んでいる状態である。
　【００２０】
　この状態にあっては、患者の足元とレッグレスト５との間に空間ができているので、退出時において患者は足元を後方に移動させることができ、従って、図４に示す如く上半身を前方に大きく屈み込むことが可能となって、患者の体力的な負担を軽減し座位から立位への体重移動がスムースに行えることとなる。
　【００２１】
　前記座位状態から治療の仰臥状態へ移行する場合には、シリンダ１０へのガス圧を解除する。このガス圧が解除されると、スプリング１１のバネ力によってピストン１０ａが収縮されるので、垂下アーム４ｃが反時計方向に回動され、背凭れ４は軸４ｂを支点として水平方向に回動される。
　【００２２】
　一方、ピストン１０ａが収縮されピン９ｂにおいて軸支されている第１リンク９が図において右方向に移動するので、該第１リンク９にピン９ａを介して回動リンク８と第２リンク１３がそれぞれ右方向に押し出される。前記回動リンク８が右方向に押し出されると、該回動リンク８はピン８ａを支点として反時計方向に回動され、その結果、連結板７を介して前方座部２″が兆番１ａを支点として前方が押し上げられる。
　【００２３】
　なお、前記第１リンク９と回動リンク８とは略直線状態となっているため、第１リンク９が右方向に移行した場合に、第１リンク９と回動リンク８とを連結するピン９ａが上方に変位するか下方に変位するか不明となる。そこで、本実施の形態にあっては、巻きバネ１６のバネ力によってピン９ａを下方に押下し、回動リンク８が反時計方向に回動するようにして、前記したように前方座部１″が押し上げられるようにした。
　【００２４】
　また、第１リンク９が右方向に移行することにより、ピン９ａに長孔１２ａが嵌合された第２リンク１２は第１リンク９の移行に伴って右方向に移行するので、連結板１２を介してレッグレスト基板５ａが兆番５ｂを支点として反時計方向に押し上げられ、従って、図２に示すように前方座部２″とレッグレスト５とは「へ」の字状態となり、着座状態の患者を仰臥状態に移行させ治療可能となる。
　【００２５】
　次に、患者を仰臥状態から座位状態に移行させるには、シリンダ１０内にガスを供給してピストン１０ａを伸長すると、前記した動作とは逆の動作によって背凭れ４が起立すると共に、前方座部１″も水平方向に移行する。また、レッグレスト５は、該レッグレスト５の重量と患者の下半身との重量によって起立方向に移行する。この起立方向への移行時にピン９ａは第２リンク１２の長孔１２ａのレッグレスト５側（図２において長孔１２ａの右側）に位置している。
　【００２６】
　そして、レッグレスト５の起立途中において、該レッグレスト５の裏面と台座２との間に物体が挟まれると、レッグレスト５はその位置で停止する。一方、第２
リンク１３の長孔１３ａ
長孔１３ａ
　【００２７】
　その結果、マイクロスイッチ１５はオフ状態となり、ガス圧の供給を停止し、シリンダ１０におけるピストン１０ａの突出を停止することにより、背凭れ４の起立、前方座部１″の水平化およびレッグレスト５の起立動作は停止され、従って、前記物体が潰されすることがなく、安全にレッグレスト５の起立動作を行うことができる。
　【００２８】
　【発明の効果】
　本発明は前記したように、座部に対して背凭れを起立し、かつ、レッグレストを垂下した状態において、該レッグレストが台座方向に傾斜して着座者の足元に適度な空間ができるので、座位から立位への移行が簡単となり、従って、女子や老人でもスムースな体重移動ができて、容易に退出することができる。
　【００２９】
　また、背凭れとレッグレストが水平方向に移行した状態において、座部の前方が上方に移動することから、仰臥状態の患者等の膝が少し折り曲げられた姿勢となって、長時間の仰臥状態でも疲れることがなく、さらに、レッグレストが垂下方向に移行する時に、該レッグレストの裏面と台座との間に異物が挟まれた場合には、レッグレストの移行を自動的に停止するので、異物が破損したりすることがない等の効果を有するものである。
【図面の簡単な説明】
　【図１】
　本発明に係る椅子のレッグレスト装置を示す座位状態の側面図である。
　【図２】
　同上の仰臥状態に移行した状態の側面図である。
　【図３】
　図１の一部拡大側面図である。
　【図４】
　着座者が座位状態から退出する状態を示す側面図である。
　【図５】
　従来の椅子における着座者が座位状態から退出する状態を示す側面図である。
　【符号の説明】
　１　　　　　　座部
　１′　　　　　後方座部
　１″　　　　　前方座部
　２　　　　　　台座
　４　　　　　　背凭れ
　５　　　　　　レッグレスト
　８，９，１３　リンク機構
　１０　　　　　シリンダ
　１５　　　　　マイクロスイッチ